(57)【要約】【目的】  本発明は、学習机の天板後部に配置される机上用書棚装置に関するものであり、充分な収納量を確保し、机上でも書籍等の整理整頓が容易な机上用書棚装置を提供する事を目的とする。【構成】  机上用書棚装置の背板の上下方向に所定間隔を有して少なくとも３本以上のレール材が配設されると共に、上部２つのレール材間に、少なくとも棚板部材と引出し部材が左右方向に並んで係脱可能な上部係止部が形成され、下部２つのレール材間に、中間係止部と下部係止部が、上下方向に所定間隔を有して形成され、最も接近する上下のレール材間の２倍以上の高さ寸法を有する区画部材と、区画部材の略半分程度の高さ寸法を有する仕切板部材をそれぞれ個別に、レール材に係脱自在で、左右方向にスライド自在となし、かつ、棚板部材、引出し部材は最も接近する上下の係止部に上下方向に重合して取付け可能としたものである。【選択図】     図２
2008023096.tif 000002
【特許請求の範囲】
【請求項１】
机の天板の後部に配置される机上用書棚装置において、机上用書棚の背板の上下方向に所定間隔を有して少なくとも３本以上のレール材が配設されると共に、上部２つのレール材間に、少なくとも棚板部材と引出し部材が左右方向に並んで係脱可能な上部係止部が形成され、下部２つのレール材間に、中間係止部と下部係止部が、上下方向に所定間隔を有して形成され、最も接近する上下のレール材間の２倍以上の高さ寸法を有する区画部材と、区画部材の略半分程度の高さ寸法を有する仕切板部材をそれぞれ個別に、レール材に係脱自在で、左右方向にスライド自在となし、かつ、棚板部材、引出し部材は最も接近する上下の係止部に上下方向に重合して取付け可能としたことを特徴とする机上用書棚装置。
【請求項２】
上部係止部と中間係止部と下部係止部は横長の長孔の下端縁よりなることを特徴とする請求項１に記載の机上用書棚装置。
【請求項３】
机の天板後部に配置される机上用書棚装置において、机上用書棚の背板を、上背板と下背板と中背板より構成し、上背板には上下方向に所定間隔を有して上部レール材と中間レール材が配設されると共に、上部レール材と中間レール材間に、少なくとも棚板部材と引出し部材が並んで係脱可能な上部係止部が形成され、中背板は、上背板の下方に所定間隔を有して配設され、下部レール材をもうけた下背板は中背板の下方に所定間隔を有して配設され、中背板の上端縁を中間係止部となし、下背板の上端縁を下部係止部となし、最も接近する上下のレール材間の２倍以上の高さ寸法を有する区画部材と、区画部材の略半分程度の高さ寸法を有する仕切板部材をそれぞれ個別に、レール材に係脱自在で、左右方向にスライド自在となし、かつ、棚板部材、引出し部材は最も接近する上下の係止部に上下方向に重合して取付け可能としたことを特徴とする机上用書棚装置。
【請求項４】
上部係止部は、横長の左右長孔の下端縁よりなり、左右長孔間に照明装置が取付けられ、照明装置の取付部前面と上背板の前面がほぼ面一に構成されている事を特徴とする請求項３に記載の机上用書棚装置。
【発明の詳細な説明】
【技術分野】
【０００１】
本発明は、学習机の天板後部に配置される机上用書棚装置に関するものである。
【背景技術】
【０００２】
この種の机上用書棚装置は、机の天板上に、着脱自在に配置した机上用書棚装置の背部を、上下に分割した複数本の木製横桟にて構成し、前記背部における上下中途部位の複数本の平行状の横桟に、移動式書棚が連結された連結手段を着脱自在に係止し、移動書棚を左右移動可能でかつ着脱自在に装着したものがある。（例えば、特許文献１参照。）
【０００３】
この場合、移動書棚は、書籍等が整理整頓できるよう、水平状の載置板と所定高さを有する少なくとも左右両側板と背面板と中仕切り板より構成されている。
すなわち、移動書棚の左右側板は、載置板上に起立した本を起立状態で支持する必要があるので、ある程度の高さ寸法が必要となり、したがって移動書棚は所定の高さ寸法が必要となる。
【０００４】
一方、机上用書棚装置も、使用勝手、使用環境、強度等の問題より、その高さ寸法はある程度に制約される。
よって、上記移動書棚を机上用書棚装置に配設する場合は、水平方向では複数個配設する事が出来るが、上下方向に重合して配設する事が出来ないので、充分な収納量を確保できず、又、書籍等の整理整頓も容易でないばかりか、天板上にパソコンを設置して使用するため、天板上の一部の上下空間を大きく確保する等、広範囲な利用も十分にできなかった。
さらに、上記書棚装置の場合、机上で（机の天板奥部で）書籍等の整理整頓を行なう場合は、移動書棚を上下逆の姿勢で装着する構成となっているので、載置板より背高の本等は机上に起立させることが出来ないので、限られた大きさの書籍しか整理整頓が出来ないという問題があった。
【０００５】
【特許文献１】特許第３６４４５１５号公報
【発明の開示】
【発明が解決しようとする課題】
【０００６】
本発明は、従来の問題点に鑑みて、天板上の空間を広範囲に渡って利用可能とすることで、充分な収納量を確保し、机上でも書籍等の整理整頓が容易な机上用書棚装置を提供する事を課題とする。
【課題を解決するための手段】
【０００７】
そこで、上記課題を解決する為、本発明が第１の手段として構成したところは、机の天板の後部に配置される机上用書棚装置において、机上用書棚装置の背板の上下方向に所定間隔を有して少なくとも３本以上のレール材が配設されると共に、上部２つのレール材間に、少なくとも棚板部材と引出し部材が左右方向に並んで係脱可能な上部係止部が形成され、下部２つのレール材間に、中間係止部と下部係止部が、上下方向に所定間隔を有して形成され、最も接近する上下のレール材間の２倍以上の高さ寸法を有する区画部材と、区画部材の略半分程度の高さ寸法を有する仕切板部材をそれぞれ個別に、レール材に係脱自在で、左右方向にスライド自在となし、かつ、棚板部材、引出し部材は最も接近する上下の係止部に上下方向に重合して取付け可能としたものである。
【０００８】
次に本発明が第２の手段として構成したところは、前記第１の手段として構成したところに加え、上部係止部と中間係止部と下部係止部は横長の長孔の下端縁よりなるものである。
次に本発明が第３の手段として構成したところは、机の天板後部に配置される机上用書棚装置において、机上用書棚装置の背板を、上背板と下背板と中背板より構成し、上背板には上下方向に所定間隔を有して上部レール材と中間レール材が配設されると共に、上部レール材と中間レール材間に、少なくとも棚板部材と引出し部材が並んで係脱可能な上部係止部が形成され、中背板は、上背板の下方に所定間隔を有して配設され、下部レール材をもうけた下背板は中背板の下方に所定間隔を有して配設され、中背板の上端縁を中間係止部となし、下背板の上端縁を下部係止部となし、最も接近する上下のレール材間の２倍以上の高さ寸法を有する区画部材と、区画部材の略半分程度の高さ寸法を有する仕切板部材をそれぞれ個別に、レール材に係脱自在で、左右方向にスライド自在となし、かつ、棚板部材、引出し部材は最も接近する上下の係止部に上下方向に重合して取付け可能としたのもである。
【０００９】
次に本発明が第４の手段として構成したところは、前記第３の手段として構成したところに加え、上部係止部は、横長の左右長孔の下端縁よりなり、左右長孔間に照明装置が取付けられ、照明装置の取付部前面と上背板の前面はほぼ面一に構成されているものである。
【発明の効果】
【００１０】
請求項１に記載の発明によると、棚板部材あるいは引出し部材の上方に仕切板部材を配設することにより、棚板部材上あるいは引出し部材上を仕切板で仕切られた本立て部分として使用することが出来、仕切り板部材を上下方向に重合する位置に配設し、さらに、左右方向に間隔を置いて区画部材を配設すれば、背高の本等であっても確実に起立姿勢で整頓することができる。
又、区画部材は最も接近するレール材の間隔の２倍以上の高さ寸法に設定しているので、引出し部材あるいは棚板部材を、上部係止部、中間係止部、下部係止部の係止部に係止し、引出し部材あるいは棚板部材の左右側で、上方あるいは下方側に突出する状態で区画部材をレール材に係止配設すれば、引出し部材、あるいは棚板部材の上方あるいは下方を本立て部等として使用することができる。
さらに、引出し部材に小引出しを設けているので、文房具等の小物類の収納、整理も容易であり、引出し部材の側部を下方に収納された本等の支持部として活用することもできる。
又、仕切板部材、棚板部材、引出し部材を一方側で、上下方向に重合して配設すれば、他方側に大きな空間部を構成することが可能で、パソコンの大型モニターであっても机上に載置して使用することが出来る。
【００１１】
請求項２に記載の発明によると、係止部は、単に背板の一部に孔を設けた長孔の下端縁を利用して形成されているので加工が簡単で、安価に製作できる。
【００１２】
請求項３に記載の発明によると、請求項１に記載の発明の効果に加え、机上用書棚装置の背板を、上背板と下背板と中背板より構成し、上背板と中背板間および中背板と下背板間に所定の間隔を形成することにより、中背板の上端縁とした背板の上端縁をに中間係止部と下係止部として利用でき、中背板と上下背板間は採光箇所としての効果も有し、さらに背板を分割して構成することにより、材料も寸法の小さいものを利用できるので、コストの削減が出来る。
【００１３】
請求項４に記載の発明によると、請求項３に記載の発明の効果に加え、上部係止部は、横長の左右長孔の下端縁より構成されているので、加工が容易で安価に製作できる。
そして、左右長孔間に照明装置が取付けられ、照明装置の取付部前面と上背板の前面はほぼ面一に構成されているので、照明装置に影響されることがなく、棚板部材、引出し部材を左右の長孔に跨って係止することが出来るので、棚板部材、引出し部材の左右方向での利用範囲が広がる。
【発明を実施するための最良の形態】
【００１４】
机の天板後部に配置される机上用書棚装置において、机上用書棚装置の背板を、上背板と下背板と中背板より構成し、上背板には上下方向に所定間隔を有して上部レール材と中間レール材が配設されると共に、上部レール材と中間レール材間に、少なくとも棚板部材と引出し部材が並んで係脱可能な上部係止部が形成され、中背板は、上背板の下方に所定間隔を有して配設され、下部レール材をもうけた下背板は中背板の下方に所定間隔を有して配設され、中背板の上端縁を中間係止部となし、下背板の上端縁を下部係止部となし、最も接近する上下のレール材間の２倍以上の高さ寸法を有する区画部材と、区画部材の略半分程度の高さ寸法を有する仕切板部材をそれぞれ個別に、レール材に係脱自在で、左右方向にスライド自在となし、かつ、棚板部材、引出し部材は最も接近する上下の係止部に上下方向に重合して取付け可能とし、上部係止部は、横長の左右長孔の下端縁よりなり、左右長孔間に照明装置が取付けられ、照明装置の取付部前面と上背板の前面はほぼ面一に構成されているものである。
【実施例】
【００１５】
以下、添付図面に基づいて実施例を詳述する。
図１において、符号１は机を示し、符号２は机１の天板１１の後部に着脱自在に備えられた机上用書棚装置を示し、符号１００は、机１と机上用書棚装置２と、天板１１の下方に収納可能な移動キャビネット１４からなる学習机を示している。
机１は、天板１１と、天板１１の左右端部下面に配設された左右脚体１２、１２と、左右脚体１２、１２の後端部間に配設された机後板１３等より構成されている。
机上用書棚２は、左右側板２１、２１と、左右側板２１、２１の後端部間を連結する背板３と、背板３に係脱自在で、左右方向に移動自在に取付けられた仕切板部材５・・・と、引出し部材６、６と、棚板部材７と、区画部材５５・・・等より構成され、背板３の上端部前面で左右方向略中央部に照明装置８が取付けられている。
【００１６】
背板３は、図2に示すように、左右側板の上端部間に配設される上背板３１と、左右側板の下端部間に配設される下背板３２と、上背板３１と下背板３２間に配設される中背板３３より構成され、上背板３１には左右方向に所定間隔を有して左右２本の上部レール材４、４と、上部レール材４、４の下方に所定間隔を有して中間レール材４１が配設されると共に、上部レール材４、４と中間レール材４１間に、少なくとも棚板部材７と引出し部材６が並んで係脱可能な、左右の長孔４０、４０の下端縁からなる上部係止部４００、４００が形成され、中背板３３は上背板３１の下方に所定間隔３３１を有して配設され、この所定間隔３３１が採光用の窓として機能し、中背板３３の上端縁が中間係止部４０１として構成する。
【００１７】
下背板３２は、上端部から所定寸法下方の前面に前記中間レール材４１と同じ下部レール材４２が埋設され、中背板３３の下方に所定間隔３３２をもって配設され、この所定間隔３３２が採光用の窓として機能し、下背板３２の上端縁が下部係止部４０２として構成される。
符号３２１、３２１は、背板３の背面側からコンセント、照明装置用スイッチボック等を使用者側に導入する為のコード挿通孔を示している。
実施例では、背板３を上背板３１、下背板３２、を上背板３１と下背板３２間に位置する中背板３３より構成し、上背板３１と中背板３３間および下背板３２と中背板３３間に所定間隔３３１、３３２を設けて、中背板３３の上端縁を中間係止部４０１、下背板３２の上端縁を下部係止部４０２として構成しているが、一枚の板体で背板３を構成するようにすれば、中間係止部４０１と下部係止部４０２は、前記左右の長孔４０を上下方向に所定間隔を設けて複数個形成し、その下端縁を利用して構成すればよいのはいうまでもない。
【００１８】
一方、中間レール材４１と下部レール材４２の間隔は、左右の上部レール材４、４と中間レール材４１の間隔の約２．５倍の寸法に設定され、上部係止部４００と中間係止部４０１の間隔と、中間係止部４０１と下部係止部４０２の間隔はほぼ同等の寸法で、引出し部材６、棚板部材７の高さ寸法より大きめに設定されている。
上部レール材４、４、中間レール材４１、下部レール材４２は幅方向に長さが異なるだけでは同形に形成され、背板３の前面に同様に埋設されているので、中間レール材４１の場合について、図１７に基いて説明する。
【００１９】
中間レール材４１は、図１７に示すように上背板３１の前面左右方向に形成された前面が開口する嵌合溝３０に前面側から密嵌する基部４１０と、基部４１０の前面上下端部に連設され、嵌合溝３０の開口部分を閉塞する上下突出縁部４１１、４１１よりなり、基部４１０には、前面が開口し奥側ほど上側に湾曲する断面円弧状の係止用スリット４１２と、係止用スリット４１２の上部に位置し後面が開口し前側に水平方向の連結用スリット４１３がアルミ材の押し出し成形によって成形されている。
符号４１４、４１５は全体の厚みを均等にする為と、材料の削減のために設けられたヒケ防止溝である。
中間レール材４１は上記の如く構成され、嵌合溝３０に基部４１０が密嵌した状態で、前記連結用スリット４１３に一致する高さで、幅方向に所定間隔を有して上背板３１に形成さた左右方向に所定間隔を有する複数個の連結孔３０１・・・に挿通された連結ネジ３０２・・・が、連結用スリット４１３に螺合して、上背板３１に埋設される。
【００２０】
仕切板部材５は、高さ寸法が引出し部材６の高さ寸法よりやや大きめの板体５１と、板体５１の裏面にネジ止めされた仕切板係止部材５２より構成されている。
仕切板係止部材５２は、図１５に示す如く、左右挟持突壁５２１、５２１と基板５２２より横断面コ字形に形成された仕切板連結部５２３と、仕切板連結部５２３の上端に連設された係止突条５３より構成され、基板５２２の下部部前面には、板体５１の裏面に形成された嵌合孔（図示せず。）に嵌入する円柱状の嵌合突起５２４が前方に突出して形成され、嵌合突起５２４の上方には仕切板係止部材５２を板体５１にネジ止め連結するための連結孔５２５が形成されている。
そして、係止突条５３は、中間レール材４１等の係止用スリット４１２に合致する奥側ほど上側に湾曲する円弧状に、基板５２２、仕切板連結部５２３、嵌合突起５２４と共に合成樹脂材にて一体に成形されている。
【００２１】
仕切板係止部材５２は上記の如く形成され、係止突条５３が板体５１の略中間高さに位置する状態で板体５１の裏面にネジ止め連結にて取付けられる。
そして、仕切板部材５は、係止突条５３の先端を係止用スリット４１２の前端に、前側から傾斜した状態であてがわれ（図１８に仮想線で示す状態）、先端を係止用スリット４１２の前端に挿入した後（図１８実践に示す状態）、係止用スリット４１２の前端やや上方位置を回動中心として、仕切板部材５を下方に回動させることで、係止突条５３を係止用スリット４１２内に嵌入し、仕切板部材５は上部レール材４等の上下方向に突出した状態に係止される。
そして、板体５１の下端部分をやや持ち上げて、係止突条５３と係止用スリット４１２の接触面積を少なくした状態で左右方向ににスライド自在となる。
【００２２】
一方、仕切板部材５を上部レール材４等より取外す場合は、板体５１の下端部を手前に持ち上げるようにして、スリット４１のやや上方位置を中心として上方に回動させて、係止用スリット４１より係止突条５３を抜き出す。
尚、符号５４は、仕切板部材５をレール材４に着脱する時に、仕切板部材５を回動させるための回動用逃がし面を示している。
【００２３】
区画部材５５は、高さ寸法が上下方向で最も接近する上部レール部材４と中間レール部材４１間の寸法の２倍以上（実施例では約３倍）の高さ寸法を有する区画板５６と、区画板５６の裏面上端にネジ止めされた区画板係止部材５７より構成されている。
区画板係止部材５７は、アルミ材の押し出し成形によって形成され、上端に中間レール材４１等の係止用スリット４１２に合致する奥側ほど上側に湾曲する円弧状の係止突条５８を有し、係止突条５８が区画板５６の裏面上端に位置する状態で連結部５９を区画板５６の裏面にネジ止めして取付けられている。
そして、区画部材５５は、係止突条５８の先端を係止用スリット４１２の前端に、前側から傾斜した状態であてがわれ、先端を係止用スリット４１２の前端に挿入した後、係止用スリット４１２の前端やや上方位置を回動中心として、区画部材５５を下方に回動させることで、係止突条５８を係止用スリット４１２内に嵌入し、区画部材５５は上部レール材４等の上下方向に突出した状態に係止される。
そして、区画体５６の下端部分をやや持ち上げて、係止突条５８と係止用スリット４１２の接触面積を少なくした状態で左右方向ににスライド自在となる。  
【００２４】
尚、実施例では、区画部材５５の高さ寸法は引出し部材６の高さ寸法の３倍強に設定され、棚板部材７の高さ寸法は、引出し部材６の高さ寸法よりやや小さく、仕切り部材５の高さ寸法は、引出し部材６の高さ寸法よりやや大きく形成されているので、区画部材５５、５５は、区画部材５５、５５が引出し部材６、あるいは棚板部材７の側部上方に突出した状態、下方に突出した状態、あるいは上下両方向に突出した状態で引出し部材６、あるいは棚板部材７の左右両側に配設すれことが出来、広汎で機能的な本立て部を得ることが出来る。
又、実施例では、仕切板部材５は上下方向略４分の３の高さ位置の裏面側が取付けられるので、上部係止部４００に取付けられた引出し部材６、あるいは棚板部材７に最も接近する上部レール材４に仕切板部材５を係止すれば、引出し部材６あるいは棚板部材７上を本立て部として利用できるだけでなく、引出し部材６あるいは棚板部材７を取付けた下方に仕切板部材５を配置すれば（図１１の左側の引出し部材６側）天板１１上の空間に文庫本、ＣＤ−ＲＯＭのケース等を体裁よく整理整頓することが出きる。
【００２５】
棚板部材７は、左右側板２１、２１間の略半分程度の幅寸法の棚板部７１と、棚板部７１の左右端部下面に配設された左右支持板７２、７２と、棚板部７１の裏面と所定の間隔を有して、左右支持板７２、７２の後端間に配設された棚背板７３より、引出し部材６より高さ寸法が小さく構成されている。
そして、棚板部材７には棚係止部材７４が取付けられている。
棚係止部材７４は、金属製の薄板より形成され、棚板部７１の後端面および後端部裏面とネジ止め連結されるＬ字形の連結部７４１と、連結部７４１の上端左右端部の内側よりで、上方に突出する断面下向きコ字形の左右2つの棚部係止突部７４２、７４２より構成されている。
符号７４３・・・は棚板部７１と棚係止部材７４をネジ止め連結するための連結孔を示している。
【００２６】
引出し部材６は、左右側板２１、２１間の略４分の１程度の幅寸法の載置板部６１と、載置板部６１の左右端部下面に配設された左右引出し支持板６２、６２と、載置板部６１の裏面と所定間隔を有して、左右引出し支持板６２、６２の後端部間に配設された引出し部背板６３と、左右引出し支持板６２、６２間に出入自在に配設された正面板の下面側に取手用凹部６４０が形成された小引出し６４より構成されている。
そして、引出し部材６には引出し係止部材６５が取付けられている。
引出し係止部材６５は、金属製の薄板より形成され、載置板部６１の後端面および後端部裏面とネジ止め連結されるＬ字形の連結部６５１と、連結部６５１の上端中央部で、上方に突出する断面下向きコ字形の引出し部係止突部６５２より構成されている。
符号６５３・・・は載置板部６１と引出し係止部材６５をネジ止め連結するための連結孔を示している。尚、実施例では、引出し部係止突部６５２は中央部分に一つ形成されているが、棚板係止突部７４２、７４２と同様、左右端部側に2つ形成すれば、上部係止部４００、４００に跨って係止することが可能となる。
【００２７】
棚板部材７と引出し部材６は、上記の如く構成され、図６および図８に示す如く、棚部係止突部７４２、７４２および引出し部係止突部６５２を、中背板３３と上背板３１所定間隔３３１等を利用して、中間係止部４０１等の上方から係止することで、係脱自在にとりつけられる。
すなわち、引出し部材６、棚板部材７の取付作業は、中間係止部４０１等に上方から係止するだけであるから、仕切り板部材５、区画部材５５に比べて重く、又、片手で取り扱うこともできない大きさであっても、非常に簡単、容易である。
このとき、引出し部材６は棚板部材７より高さ寸法が大きく構成され、上部係止部４００、中間係止部４０１、下部係止部４０２の間隔は引出し部材６の高さ寸法（載置板部６１の上面からより支持板６２下面までの寸法）より大きく形成されているので、引出し部材６、６を上下方向に重合して背板3に取付ることが出来る。
符号５００・・・は、引出し部材６、棚板部材７を中間係止部４０１等に係止したとき
棚部係止突部７４２、７４２および引出し部係止突部６５２の先端部が中背板３３の裏面側に突出しないよう形成された係止用段部を示している。
【００２８】
照明装置８は、支柱８１と、支柱８１の上端から屈折してほぼ水平方向に延びるアーム８２と該アーム８２の先端に姿勢変更自在に取付けられた照明体８３より構成され、支柱８１は上背板３１に設けられた照明装置取付部９に連結されている。
【００２９】
照明装置取付部９は、図１２、図１３、図１４に示すように、上端面が開口し、支柱８１が前面側から格納される大きさの取付用凹部９１と、取付用凹部９１を閉塞するカバー体９９より構成されている。
そして、取付用凹部９１の背面側に上下方向に所定間隔を有して後方に貫通する連結用貫通孔９２、９２が形成されており、前面側に固着された連結用ナット９３、９３が連結用貫通孔９２、９２内に位置した状態で、上背板３１の裏面側に連結用保持金具９４がネジ止めされ、支柱８１が取付用凹部９１内に位置した状態で、取付用凹部９１内に保持されるカバー保持部材９８に、前面からカバー体９９が係脱自在に取付けられ、取付用凹部９１が閉塞される。
【００３０】
カバー保持部材９８は、図１６に示すように、取付用凹部９１の周壁内面に嵌合する大きさで、正面視略Ｕ字形の前面化粧縁９８１と、前面化粧縁９８１の上端面に形成された後方に突出する左右の上面化粧壁９８２、９８２と、前面化粧縁９８１の内面側端部よリ後方に突出し取付用凹部９１の内面側に嵌合する内向き突壁９８３と、内向き突壁９８３の後端部より内方に所定寸法突出する後壁９８４と、後壁９８４の上端間と上面壁９８２の後端間に渡って連設された上面縁９８５と、上下方向に所定間隔を有し、内向き突壁９８３から内方に突出して、後壁９８４と前面化粧縁９８１間に設けられた係止突条９８６・・・から、合成樹脂材にて一体に形成されることにより、中央部には連結用ナット９３、９３が臨む正面開口部９８７が形成される。
尚、符号９８８・・・は係止突条９８６・・・を内向き突壁９８３に一体に形成するための切り欠きを示し、符号９８９は、カバー体９９の下端部を係止するための係止用孔を示し、符号９８０は、カバー保持部材９８の下端部を取付用凹部９１に連結するために形成された、連結用切欠き部を示している。
【００３１】
カバー体９９は、前面化粧縁９８１内に合致する大きさの正面壁９９１と、正面壁９９１の周端部から後方に突出する上面閉塞用突壁９９２、側方係止用突壁９９３、９９３、下方係止用突壁９９４よりなり、上面閉塞用突壁９９２には支柱の断面形状に合致する支柱用切欠き９９５が、側方係止用突壁９９３、９９３には前記係止突条９８６・・・に対応する位置に後端面が開口した係止案内溝９９６・・・を下端に連設する係止溝９９７・・・が、下方係止用突壁９９４には前記係止用孔９８９に対応して下向き係止突条９９８が、合成樹脂材にて一体に形成されている。
そして、照明装置８の支柱８１には前記連結用ナット９３、９３に対応して、上下方向に長い取付用長孔８１１、８１１が形成されている。
【００３２】
照明装置取付部９と照明装置８の支柱８１は上記の如く構成され、カバー保持部材９８の左右の上面化粧壁９８２、９８２、内向き突壁９８３、後壁９８４と、上面縁９８５を取付用凹部９１または取付用切欠部９１２内、または取付用空間９１３の左右上背板３１２、３１１間に嵌合し、次に、支柱８１をカバー保持部材９８の前側に位置させた状態で、取付用長孔８１１、８１１に連結ボルト９０、９０を貫通させて連結用ナット９３、９３に螺合させることにより、連結用保持金具９４を介して支柱８１は上背板３１に連結される。この状態で、上面縁９８５と後壁９８４の下側は、第一実施例においては取付用凹部９１の底部分９１１と支柱８１１の裏面で、第二および第三実施例においては連結用保持金具９４１と支柱８１１の裏面でそれぞれ挟持され、カバー保持体９８は、取付け凹部９１または取付用切欠部９１２、または取付用間隙９１３内に支柱８１とともに保持される。
【００３３】
次に、カバー体９９の係止案内溝９９６・・・内に係止突条９８６・・・が位置する様、カバー体９９をカバー保持部材９８に前面側から嵌合し、下方にスライドさせて、係止溝９９７・・・を係止突条９８６・・・に係合し、下向き係止突条９９８を係止用孔９８９に係止し、カバー体９９をカバー保持部材９８に取付け、支柱８１および連結ボルト５０、５０の頭部を隠蔽する。
そして、この状態で、カバー体９９、カバー保持部材９８、上背板３１の前面は共に面一となり、区画部材５５が上部レール材４の上方に位置した状態で、左右にスライド自在に取付けるのに支障をきたす事がない。
【００３４】
又、照明装置８は、取付用長孔８１１、８１１の上下方向の寸法の範囲内で上背板３１に対高さ調節可能である。
照明装置８の高さ調節は、先ずカバー体９９を上方にスライドさせて、係止溝９９７・・・と係止突条９８６・・・の係合状態を解除してカバー体９９をカバー保持部材９８より取外し、連結ボルト９０、９０の頭部を露出させて、次に連結ボルト９０、９０と連結用ナット９３、９３との螺合を緩めて、取付用長孔８１１、８１１の上下方向の寸法の範囲内で、照明装置８の高さを所望の位置に調節した後に、再び連結ボルト９０、９０と連結用ナット９３、９３とを螺合させて、照明装置８を固定させることによって行われる。
照明装置を固定した後、係止溝９９７・・・に係止突条９８６・・・を係合させて、カバー保持部材９８にカバー体９９を取付けて連結ボルト９０、９０の頭部を隠蔽する。
すなわち、照明装置８の机上用書棚への取付けおよび取外しと、さらに高さ調節（照明位置の調整）等が前面側から行なえるので、その都度、学習机１００を動かす必要がなく、手軽に作業する事が出来る。さらに、支柱８１が上背板３１の前面側に突出することもないので、書籍等の整理整頓、区画部材５５等の移動に支障をきたす事もない。
尚、実施例では、２つの引出し部材６、６を備えているが、一つでもよく、それぞれの部材の幅寸法は適宜変更可能である。
【図面の簡単な説明】
【００３５】
【図１】本発明を具備した学習机の正面図
【図２】引出し部材、棚板部材、仕切板部材、区画部材を取外した状態の本発明の正面図
【図３】引出し部材が位置する個所での本発明の要部縦断面図
【図４】棚板部材が位置する個所での本発明の要部断面図
【図５】区画部材の取付状態を示す要部拡大断面
【図６】棚板部材の係止状態を示す要部拡大断面図
【図７】仕切板部材の取付状態を示す要部拡大断面
【図８】引出し部材の取付状態を示す要部拡大断面
【図９】２つの引出し部材と、棚板部材と、仕切板部材が上下に重合して取付けらた状態を示す本発明の正面図
【図１０】棚板部材が中央部上方位置に取付けられた状態を示す本発明の正面図
【図１１】各部材の他の配置状態を示す本発明の正面図
【図１２】照明装置取付部の要部拡大横断面図
【図１３】図１２のＡ−Ａ線断面図
【図１４】図１２のＢ−Ｂ線断面図
【図１５】仕切板係止部材の斜視図
【図１６】カバー保持部材とカバー体の斜視図
【図１７】中間レール材の埋設状態を示す拡大断面図
【図１８】仕切板部材の取付取り外し状態を示す説明図
【図１９】棚係止部材の斜視図
【図２０】引出し係止部材の斜視図
【符号の説明】
【００３６】
１        机
１００    学習机
２        机上用書棚
３        背板
３１      上背板
３２      下背板
３３      中背板
４        上部レール材
４１      中間レール材
４２      下部レール材
４０      長孔
４００    上部係止部
４０１    中間係止部
４０２    下部係止部
５        仕切板部材
５５      区画部材
６        引出し部材
７        棚板部材
【図１】
2008023096.tif 000003
【図２】
2008023096.tif 000004
【図３】
2008023096.tif 000005
【図４】
2008023096.tif 000006
【図５】
2008023096.tif 000007
【図６】
2008023096.tif 000008
【図７】
2008023096.tif 000009
【図８】
2008023096.tif 000010
【図９】
2008023096.tif 000011
【図１０】
2008023096.tif 000012
【図１１】
2008023096.tif 000013
【図１２】
2008023096.tif 000014
【図１３】
2008023096.tif 000015
【図１４】
2008023096.tif 000016
【図１５】
2008023096.tif 000017
【図１６】
2008023096.tif 000018
【図１７】
2008023096.tif 000019
【図１８】
2008023096.tif 000020
【図１９】
2008023096.tif 000021
【図２０】
2008023096.tif 000022